(57)【特許請求の範囲】
【請求項１】
以下の工程を含むことを特徴とする靴の製造方法：
少なくとも靴の甲皮の中央前方部分の下縁に面する部分に沿って靴の甲皮に固定された靴の甲皮（２）および伸縮性のある部材（６、６０）で形成される組立部品（Ｔ、Ｔ１）を得る工程；
前記の靴の甲皮のサイズに対応するサイズを有し、その上面に固定手段（５０）を有し、同上面が少なくとも１つの前方固定部分（Ｚ）と少なくとも１つの後方固定部分（Ｚ１）を形づくるように少なくともその中央前方部分で結合した靴底（５）を得るための工程；
靴底と組立部品のグループ（Ｗ、Ｗ１）を得るために、前記靴底（５）の前方固定部分（Ｚ）とこれに対応する前記組立部品の前方部分、ならびに前記靴底（５）の後方固定部分（Ｚ１）とこれに対応する前記組立部品の後方部分を互いに固定する工程；
その後伸縮性のある構成部材（６０）を横方向に伸長し、靴の甲皮２をユーザーの足の構造に適応させることで靴底と組立部品のグループ（Ｗ、Ｗ１）にユーザーの足を入れる工程；
前記の伸縮性のある構成部材にユーザーの足の圧力を加えることによりこの伸縮性のある構成部材を固定手段（５０）に予め固定する工程；
靴底と組立部品のグループ（Ｗ、Ｗ１）からユーザーの足を取外す工程；
靴を得るために靴底と組立部品のグループ（Ｗ、Ｗ１）とを結合する工程。
【請求項２】
前記靴底（５）に固定される前に前記組立部品（Ｔ、Ｔ１）が対応する靴型に取付けられ、この靴底と組立部品のグループ（Ｗ、Ｗ１）を得た後で前記靴型から前記組立部品（Ｔ、Ｔ１）を取り外すことを特徴とする請求項１に記載の方法。
【請求項３】
次の工程で前記グループ（Ｗ１）を得ることを特徴とし：
前記伸縮性のある部材を対応する靴型の面に載せる工程；
靴の甲皮２を前記靴型に取り付ける工程；
前記伸縮性のある部材を少なくとも靴の甲皮の中央前方部分の下縁の対向部分に固定する工程；
さらに、前記組立部品のグループ（Ｗ１）を得た後、これを靴型から外されることを特徴とする請求項１に記載の方法。
【請求項４】
前記組立部品のグループ（Ｗ）を靴型に合わせる前に、かかと用中敷を靴型の表面の後方部分に設置し、その後、かかと用中敷を靴の甲皮に固定することを特徴とする請求項２に記載の方法。
【請求項５】
前記組立部品のグループ（Ｗ）を靴型に合わせる前に、中敷を靴型の表面の後方部分に設置し、その後、中敷のかかと部分及びつま先部分を靴の甲皮に固定することを特徴とする請求項２に記載の方法。
【請求項６】
前記伸縮性のある部材が対応する中敷（Ｓ）の中央前方部分に位置し、中敷（Ｓ）を靴の甲皮の下縁に固定することを特徴とする請求項１又は３に記載の方法。
【請求項７】
前記伸縮性のある部材が中敷（Ｓ）の中央前方部分とよく似た形状を有し、そこに内接されていることを特徴とする請求項６に記載の方法。
【請求項８】
少なくとも前記固定部分（Ｚ）が固定手段（５０）の外部にあることを特徴とする請求項１に記載の方法。
【請求項９】
前記伸縮性のある部材が固定される前に靴の前記甲皮２の裏面縁がフレッシングされることを特徴とする請求項１、３又は６に記載の方法。
【請求項１０】
前記靴の甲皮（２）が外側層（２５）と内側層（２６）又は裏皮で形成され、靴の甲皮が靴型に合わされる前に、該外側層（２５）と裏皮（２６）の各々の端末部分（２５０、２６０）が分離され、該外側層（２５）と裏皮（２６）から距離“ｄ”のところで縫い目（Ｕ）が作成されることを特徴とする請求項３に記載の方法。
【請求項１１】
前記伸縮性のある部材が固定手段（５０）に予め固定される前に、固定手段（５０）の上部に接触している保護シートが取り除かれることを特徴とする請求項１に記載の方法。
【請求項１２】
前記伸縮性のある部材が縫うことによって前記靴の甲皮２の下縁に固定されることを特徴とする請求項１、３又は６に記載の方法。
【請求項１３】
前記伸縮性のある部材の対応部分に結合させることを目的として、少なくとも靴の甲皮２の縁の表面に接着手段を塗布することによって、前記伸縮性のある部材が前記靴の甲皮２の下縁に固定されることを特徴とする請求項１、３又は６に記載の方法。
【請求項１４】
前記中敷（Ｓ）が、縫うことによって伸縮性のある部材（６０）と一緒に前記裏皮２６の端末部分に固定されることを特徴とする請求項１０に記載の方法。
【請求項１５】
前記中敷（Ｓ）が、接着手段によって伸縮性のある部材（６０）と一緒に前記裏皮２６の端末部分に固定されることを特徴とする請求項１０に記載の方法。
【請求項１６】
前記伸縮性のある部材（６）が、縫うことによって前記裏皮２６の端末部分（２６０）に固定されることを特徴とする請求項１０に記載の方法。
【請求項１７】
前記伸縮性のある部材（６）が、接着手段によって前記裏皮２６の端末部分（２６０）に固定されることを特徴とする請求項１０に記載の方法。
【請求項１８】
靴底と組立部品のグループ（Ｗ、Ｗ１）が、同グループを加熱し、同組立部品（Ｗ、Ｗ１）を靴底（５）に押圧することで結合されることを特徴とする請求項１に記載の方法。
【請求項１９】
靴（９、９００）を得る前に、前記外側層（２５）の端末部分（２５０）が前記裏皮２６の端末部分（２６０）に結合されることを特徴とする請求項１０に記載の方法。
【請求項２０】
靴（９、９００）が得られた後、仕上げの中敷（９０）がその中に設置されることを特徴とする請求項１に記載の方法。
【発明の詳細な説明】
【技術分野】
【０００１】
本発明は、履き物の製造技術に関するものである。
【背景技術】
【０００２】
現在、靴を得るためには、より多くのパーツ、より正確には、少なくとも1つの靴の甲皮と1つの相対するボトム（または靴底）が結合されている。
いわゆる組立方式の靴を得るためには、複数の押し抜きされた部分又は押し抜きを互いに結合して内側を裏打してレザーなどで形成され、場合によっては靴の前部を増強させるための爪皮（toe cap）と靴の後部を補強するためのかかと革を含む靴の甲皮を製造する必要がある。
【０００３】
靴の甲皮を形成するパーツ（押し抜き、裏張り、爪革及びかかと革）は、接着剤で互いに結合されることが多い。
相対する靴の甲皮のサイズと形状に調和・適合する中敷も製造する必要がある。
一般的に、中敷は靴型に載せられ、適切な固定手段で靴型に固定される。
【０００４】
次の工程では、中敷の縁に接着剤が層状に塗布され、靴の甲皮が靴型に取付けられ、靴の甲皮の縁が折曲げられ、周知の技術にしたがって下方に位置する中敷に対して押しつけられ、甲皮と中敷が結合される。
靴の甲皮と中敷が結合された後、該当業者の周知の方式と技術により、甲皮は靴型にしっかりと付着させられる。
このようにして得られた組立部品は、縫い合わせ又は接着により、相対する靴底と結合される。
【０００５】
このタイプの靴の甲皮は、あらかじめ決められた形状の靴型の上で伸長され、その結果、その伸長に用いられた靴型の形状を得る。このようにして作られた靴の、足を挿入する空間は、標準的な形状となる。
ユーザーの足に、例えば中足骨・指骨部分等の変形があった場合、靴の幅と形状が原因となり、靴に触れる部分に皮膚炎、痛み、場合によっては小さな擦り傷が生じるため、前述の靴は心地よいとは言えない。
足の変形が小さなものであった場合には、前記のような不快さを伴いながら使用するか、もしくは機械手段で靴の甲皮の後方部分を拡張するかの何れかによってのみ靴が変形する。
足の変形が大きい場合、または特別なものである場合は、この種の靴を履くことはできず、特別な足形を入手して靴を誂える必要がある。
【発明の開示】
【発明が解決しようとする課題】
【０００６】
本発明の目的は、ユーザーの足の形状に順応可能な靴の製造方法を提案することである。
本発明のもう一つの目的は、非常に快適な製品を容易に入手することを可能にする靴の製造方法を提案することである。
本発明のさらに別の目的は、その実施に専門的な人員を必要としないで実行できる靴の製造方法を提案することである。
【発明を実施するための最良の形態】
【０００７】
本発明の特性を、以下の実施するための最良の形態の説明において、特許請求の範囲の内容にしたがい、また添付図面に従い詳細に説明する。
靴の製造に関する提案方法にもとづき、例えば、外側層２５、外側層の後部に縫いつけて結合されたかかと革（必要な場合。図示せず）、外側層２５の寸法を補完するため、また前述のように入手した靴の甲皮の内部仕上げ処理を目的として外側層の内面に固定された裏張りと呼ばれる内側層２６等の異なるパーツを組み立てて靴の甲皮２を得る。
【０００８】
さらに、提案する靴は、予め定められた形状とサイズのかかと用中敷４又は中敷、及び入手する靴のサイズに合わせて予め定められた形状とサイズの靴の底５を使用して得ることができる。
【０００９】
靴を形成するパーツを考慮に入れ、靴底５の前方中央部分と似ているがわずかに小さい形状、或いは靴底５の形状に似ているがわずかに小さい形状などの、所定形状の伸縮性のある帯状部材６を作成する。
【００１０】
第２実施例にもとづき、伸縮性のある部材６には、並べて配置された複数の伸縮性帯状部材を含むことができる。
伸縮性のある帯状部材の形状とサイズに関連して、伸縮性のある帯状部材を受け入れて固定するために、該当業者周知の技法である皮の裏面に付いている不要物を取りのぞく処理（フレッシング）を行ない、靴の甲皮の縁に擦り傷を付ける必要がある。
最初の行程において、伸縮性のある帯状部材６は靴の甲皮の縁のフレッシングされた部分に配置され、例えば縫い合わせ及び／又は接着剤により、例えば靴の甲皮２の中央前方部分の縁に面する部分に沿って靴の甲皮のフレッシングされた部分に伸縮性のある帯状部材６の縁Ｃが固定され、靴の甲皮と伸縮性のある帯状部材６で構成された管状の組立部品が形成される。
【００１１】
あるいは、伸縮性のある帯状部材を靴の甲皮２の下部の周辺端部に固定することにより、異なる靴の甲皮と帯状部材の組立部品（図示せず）が形成される。
先の事例では、靴の甲皮と帯状部材の組立部品を靴型に取り付けることなく、靴底を靴の甲皮と帯状部材の組立部品に固定できる。
伸縮性のある帯状部材６が靴の甲皮の中央前方部分に接続されている場合、周知の技術により、靴型（図示せず）の後方部分に適合するよう、同後方部分にかかと用中敷４が配置・固定される。
かかと用中敷４が靴型に配置された後、靴の甲皮２がこの上に取り付けられる。
【００１２】
次に、かかと用中敷４のかかと部分の外縁Ｂに接着剤層が塗布される。
全体中敷が使用される場合、靴の甲皮が靴型に取付けられる前に、かかと部分の外縁Ｂと中敷のつま先部分の外縁に接着剤層が塗布される。
次いで、靴の甲皮とかかと用中敷４を固定するために、かかと用中敷４の縁Ｂ上に一部配置された靴の甲皮２の後方部分の縁Ｒが折曲げられ、所定時間にわたって押圧されて縁ＲとＢとが結合される。こうして、靴の甲皮とかかと用中敷と帯状部材で構成された図１に示す組立部品Ｔを得る。
あるいは、靴の甲皮２の折曲げられた縁Ｒに複数の結合手段又は他の手段を適用し、下方に位置するかかと用中敷４の縁Ｂと接続させ、相互の結合を得ることができる。
【００１３】
図５に示す第２実施例にもとづき、例えば、中敷の中央前方部分に似ているが中敷よりも小さく、予め定められた形状を有し、伸縮性のある単数の帯状部材（又は弾力性のある複数の帯状部材）などの伸縮性のある部材６０を中央前方部分に持つ全体中敷Ｓが使用される。
この第２実施例にもとづき、最初の工程において、靴の甲皮２は、周知の方法で靴型に予め配置されて固定された中敷に固定される。
中敷Ｓの外縁Ｂ１に接着剤層を塗布し、靴の甲皮２の縁Ｒ１を中敷の外縁Ｂ」に折り重ね、縁Ｒ１とＢ１、靴の甲皮・中敷の組立部品Ｔ１を押圧して結合すると、中敷Ｓが靴の甲皮に固定される。接着剤の代わりに、結合手段又は他の手段を用いることもできる。
【００１４】
あるいは、中敷Ｓは、例えば、いわゆる「ボローニャ」ステッチ（図５Ａ）により縫い合わせて靴の甲皮２に固定し、靴の甲皮と中敷Ｔ１の組立部品を形成できる。
靴の甲皮・かかと用中敷・帯状部材による組立部品Ｔ、又は靴の甲皮・帯状部材の組立部品、または靴の甲皮・中敷の組立部品Ｔ１が形成された後、例えば接着手段又は熱可塑性プラスチック素材からなる面ファスナー等の固定手段５０が周知の技術により靴底５の表面５９に固定され、それぞれ靴底のつま先部分と靴底のかかと部分に、および図１及び５に示すように固定手段に対して外側に、前方固定部分Ｚと後方固定部分Ｚ１が靴底上に形成される。
【００１５】
固定手段５０の上面には、固定手段５０の寸法に等しい寸法で、靴底５から出た舌革の側面に沿って提供される取外し可能な保護シート（図示せず）がある。
第２実施例にもとづき、固定手段５０は、靴底５の製造時に、同靴底５の底部の中に挿入できる。
次の工程において、図２に示すように、靴底５は、靴の甲皮・かかと用中敷・帯状部材による組立部品Ｔ、または靴の甲皮・帯状部材の組立部品、又は靴の甲皮・中敷の組立部品Ｔ１と接触して据え付けられる。
次いで、靴底と組立部品グループＷ，Ｗ１を得るために、靴底５の前方固定部分Ｚ、ならびに靴型に取付けられた靴の甲皮・中敷・帯状部材による組立部品Ｔ、または靴の甲皮・帯状部材の組立部品又は靴の甲皮・中敷の組立部品Ｔ１の対応するつま先部分などの前方部分が靴底５の後方固定部分Ｚ１ならびに靴の甲皮・かかと用中敷・帯状部材による組立部品Ｔ、または靴の甲皮・帯状部材の組立部品又は靴の甲皮・中敷の組立部品Ｔ１などのかかと部分である対応する靴底の後方部分に固定される。
【００１６】
伸縮性のある帯状部材６，６０は、図２及び図２Ａの断面図に示すように、固定手段５０に固定されない。
実施例で図示していないが、靴底５の前方部分Ｚは、靴の甲皮・かかと用中敷・帯状部材による組立部品Ｔ、または靴の甲皮・帯状部材の組立部品又は靴の甲皮・中敷の組立部品Ｔ１の中央前方部分の１点に固定される。
その後、靴底と組立部品のグループＷ，Ｗ１は靴型から取外される。
靴底と組立部品のグループＷ，Ｗ１を得た後、提案する方法の次の工程（靴の検査）において、ユーザーは足Ｐを靴底と組立部品のグループＷ，Ｗ１の靴の甲皮２に入れる；伸縮性のある帯状部材６，６０は横方向に伸長し、靴の甲皮２はユーザーの足の形状に順応する。
次に、当該舌革を引いて固定手段５０の上にあるシートが取り除かれ、伸縮性のある帯状部材６，６０が取外し可能な状態でユーザーの足によって固定手段５０に押しつけられると、伸縮性のある帯状部材６，６０の伸長状態が安定し、靴の甲皮２の空間的構造が維持される。
【００１７】
最終工程において、ユーザーが上記のように変形された靴底・組立部品のグループＷ，Ｗ１から足を取りだし、プレス等の圧縮手段及び／又は加熱手段（図示せず）がこの中に導入されると、靴底５が押圧されてグループＷ，Ｗ１の組立部品Ｔ、または靴の甲皮・帯状部材による組立部品又は靴の甲皮・中敷の組立部品Ｔ１に結合・接着し、図４，５Ａの断面図に示すような望ましい靴９，９００を得ることができる。
靴９，９００を得た後、仕上げの中敷９０が靴の中に導入され、かかと用中敷４及び／又は伸縮性のある帯状部材６の上、または中敷Ｓと伸縮性のある帯状部材６０の上に配置される。
【００１８】
第３実施例にもとづき（図６，７）、前述のように、外側層２５と内側層２６又は裏皮を結合すると、靴の甲皮２を得ることができる。
この実施例では、外側層２５の末端部分２５０が裏皮の末端部分２６０と分離しており、外側の1本の縫い目Ｕがこれらの部分の端から“ｄ”の距離となるように作成されている。
伸縮性のある帯状部材６，６０（単数の伸縮性のある帯状部材６、又は複数の伸縮性のある帯状部材、または伸縮性のある帯状部材６０をともなう中敷Ｓが裏皮の末端部分２６０に固定され、末端部分２５０の内側Ｌは接着剤で覆われる。
伸縮性のある帯状部材６，６０が予め固定手段５０に固定されているため、裏皮２６の末端部分２６０は、靴の甲皮２の変形に関連して、全体的または部分的に靴底５に固定され、裏皮２６の末端部分２６０と靴底５の端との間に間隙Ｊを形成する（図６）。
伸縮性のある帯状部材６，６０が固定手段５０に予め固定された後、または靴９，９００が得られた後、外側層２５の末端部分２５０は、適切な道具により間隙Ｊの中に押込められ、裏皮の末端部分２６０に接着され（図７Ａ）、次いで、外側層２５の末端部分２５０の過度の部分が切り取られて、形が整えられる（図７Ｂ）。
【産業上の利用可能性】
【００１９】
上述した靴の製造方法によれば有益な特徴を有する。
この方法は、独特な足の変形を有するユーザーに適した、著しく快適な靴を得ることを可能にする。
伸縮性のある帯状部材６，６０は、ユーザーの足を靴底と組立部品のグループＷ，Ｗ１の中に入れることにより、靴の甲皮をユーザーの足の構造に順応させることを可能にする。
固定手段５０の上にある保護シートにより、固定手段５０を「作動」させることなく靴の甲皮を着用し、甲皮の変形が足の形状に十分なものであるかどうかをチェックし、靴９，９００を購入するか否かを自由に判断することができる。
靴底５上の固定手段５０は、靴の甲皮を予め固定することを可能にする：ユーザーが靴の甲皮を正しく変形させることができなかった場合、靴の甲皮を手作業で当初の構造に修復できる。これは、伸縮性のある帯状部材６，６０が、固定手段５０から分離されているためである。
【００２０】
靴底と組立部品のグループＷ，Ｗ１の固定により、足の形状に順応させた靴の甲皮２を靴底５予め固定することによって、個別の靴９，９００を得ることを可能にする。
靴底５は、縫い合わせ又は接着剤を使用することでグループＷ，Ｗ１に固定できる。適切に靴底５に塗布された接着剤は適切な素材の熱による溶着又は融合を作動させる。これから、伸縮性のある帯状部材６，６０、固定手段５０、及び他の靴のパーツが作成される。そのため、靴底５とグループＷ，Ｗ１の間のシールが保証される。
【００２１】
靴の甲皮２の末端部分から“ｄ”の距離に作成されている縫い目Ｕの存在により、靴９，９００が得られた後、靴底の縁と靴の甲皮２の末端部分の間の接合部を完璧に仕上げることが可能になる。
靴の製造に関する前述の方法は、その工程がシンプルで、専門的な人材を必要としないため、有益でもある。
上で説明されている内容は一例にすぎず、実施例に限定されるものでもない。したがって、実用から導かれ得る本発明の変形は、上に説明するように、また以下で主張するように、本文の技術的な解決法の保護範囲内にとどまると理解される。
【図面の簡単な説明】
【００２２】
【図１】提案する方法により入手可能な靴を形成する部品の斜視部分分解図である。
【図２】図1のパーツと中敷を組み立てた部品の横断面図である。
【図２Ａ】図2の前部縦断面図である。
【図２Ｂ】次工程中における図2Aと同じ前部縦断面図である。
【図３】提案する方法で得た靴の側面図である。
【図４】図3の縦軸方向の面に沿った横断面図である。
【図４Ａ】図4の詳細Kの拡大図である。
【図５】第２実施例にもとづいて提案する靴を形成する部品の斜視部分分解図である。
【図５Ａ】第２実施例の部品を組み立てたもの（靴のパーツを異なる方法で固定したもの）の縦断面図である。
【図６】第３実施例にもとづき、続く２つの工程において提案する靴の部品を組み立てたものの縦断面図である。
【図７】第３実施例にもとづき、続く２つの工程において提案する靴の部品を組み立てたものの縦断面図である。
【図７Ａ】図7の詳細H1の拡大図である。
【図７Ｂ】図7の詳細H2の拡大図である。
【図１】
0004436764.tif 000002
【図２】
0004436764.tif 000003
【図２Ａ】
0004436764.tif 000004
【図２Ｂ】
0004436764.tif 000005
【図３】
0004436764.tif 000006
【図４】
0004436764.tif 000007
【図４Ａ】
0004436764.tif 000008
【図５】
0004436764.tif 000009
【図５Ａ】
0004436764.tif 000010
【図６】
0004436764.tif 000011
【図７】
0004436764.tif 000012
【図７Ａ】
0004436764.tif 000013
【図７Ｂ】
0004436764.tif 000014